(57)【特許請求の範囲】
【請求項１】
携帯情報端末に取り付ける保護具であって、
前記携帯情報端末の画面を覆うシート部と、
前記シート部の周縁から一体として形成され且つ前記シート部を前記画面上に保持しつつ前記携帯情報端末の側面と係合する係合部と、
を有し、
前記シート部及び前記係合部を前記携帯情報端末の前面から押し付けることで前記係合部を前記携帯情報端末の側面に係合するように構成される、
保護具。
【請求項２】
前記係合部は、
前記携帯情報端末の側面の形状に合わせた湾曲面を有する、
請求項１に記載の保護具。
【請求項３】
前記係合部は、
前記シート部より厚さが大きい、
請求項１又は２に記載の保護具。
【請求項４】
前記シート部と前記係合部は、
前記シート部の周縁に形成された傾斜面を介して形成される、
請求項１〜３のいずれか１項に記載の保護具。
【請求項５】
前記シート部の周縁から形成され且つ前記携帯情報端末の前面を覆う保護部、
を有する請求項１〜４のいずれか１項に記載の保護具。
【請求項６】
前記シート部は、
前記携帯情報端末の前記画面に相当する領域を超えて形成され、
前記シート部と前記係合部は、
前記シート部の周縁に形成された傾斜面を介して形成される、
請求項１〜５のいずれか１項に記載の保護具。
【請求項７】
前記シート部は、厚さが0.3mm〜0.4mmである、
請求項１〜６のいずれか１項に記載の保護具。
【請求項８】
前記係合部は、厚さが0.5mm〜0.7mmである、
請求項１〜７のいずれか１項に記載の保護具。
【発明の詳細な説明】
【技術分野】
【０００１】
本発明は、スマートフォン、タブレット端末等のタッチディスプレイを搭載する携帯情報端末用の保護具に関する。
【背景技術】
【０００２】
各社から発売されているスマートフォンやタブレット端末はタッチディスプレイによる直感的な操作が可能であり、携帯性のよさから多くのユーザーに利用されている。
【０００３】
ユーザーはスマートフォンやタブレット端末をポケットや鞄に入れて持ち歩くことが多く、傷がつきやすい。また、条件によっては画面が割れてしまうことも多い。
【０００４】
そこで、スマートフォンやタブレット端末の画面を保護するため、画面に貼り付ける保護フィルムが広く利用されている。
【０００５】
特許文献１には、モバイル機器の画面に保護フィルムを貼り付ける際に、保護フィルムの位置決めができるフレーム型の保護フィルムの貼り付け補助具が開示されている。
【先行技術文献】
【特許文献】
【０００６】
【特許文献１】特開２０１４−１６６７２７号公報
【発明の概要】
【発明が解決しようとする課題】
【０００７】
しかし、保護フィルムを画面に綺麗に貼り付けることは容易ではない。綺麗に貼り付けるためには、画面を柔らかな布で拭きとってゴミを除去し、よく乾いた状態で位置決めし、さらに気泡が入らないようにヘラなどで押し付けつつ貼り付ける必要がある。気泡が入ってしまうと見栄えが悪いだけでなく、剥がれやすくなり、そこからゴミや埃が入ってしまうため好ましくない。現に、スマートフォンを購入するときに、店舗にて有料の貼り付けサービスが提供されていることからも、ユーザーは保護フィルムの必要性を認識してはいるが、貼り付けることには手間を感じていることが伺える。そこで、特許文献１にも開示されているように、従来はいかに素早く綺麗に保護フィルムを貼ることができるかについての検討がなされてきた。
【０００８】
しかし、いかに素早く綺麗に貼り付けようと、保護フィルム端面と画面の段差による引っかかりや、経年劣化による剥離を防ぐことは困難である。フィルムが剥がれるたびにユーザーは新しい保護フィルムを購入する必要に迫られ、ユーザーにとっては好ましい状態ではなかった。
【０００９】
本発明はこのような事情に鑑みてなされたものであり、端末への取付が容易で、剥離することがない画面の保護具を提供するものである。
【課題を解決するための手段】
【００１０】
本発明によれば、携帯情報端末に取り付ける保護具であって、前記携帯情報端末の画面を覆うシート部と、前記シート部の周縁から形成され且つ前記シート部を前記画面上に保持しつつ前記携帯情報端末の側面と係合する係合部と、を有する保護具が提供される。
【００１１】
本発明のポイントは、シート部を端末の画面上に保持しつつ端末の側面と係合する係合部を、シート部の周縁に形成した点にある。これにより、従来のように位置合わせする必要なく、かつ気泡が入ることなく端末に容易に取り付けることができる。さらに、シート部と画面の間に段差がないため、指の引っかかりや経年劣化による剥離が生じない。本発明者は、従来の保護フィルムと異なり、端末へ貼り付けるのではなく取り付ける、という思想に基づき、本発明の完成に至った。
【００１２】
ここで、本発明の種々の実施形態を例示する。これらの実施形態は、互いに組み合わせ可能である。
好ましくは、前記係合部は、前記携帯情報端末の側面の形状に合わせた湾曲面を有する。
好ましくは、前記係合部は、前記シート部より厚さが大きい。
好ましくは、前記シート部と前記係合部は、前記シート部の周縁に形成された傾斜面を介して形成される。
好ましくは、前記シート部の周縁から形成され且つ前記携帯情報端末の前面を覆う保護部を有する。
好ましくは、前記シート部は、前記携帯情報端末の前記画面に相当する領域を超えて形成され、前記シート部と前記係合部は、前記シート部の周縁に形成された傾斜面を介して形成される。
好ましくは、前記シート部は、厚さが0.3mm〜0.4mmである。
好ましくは、前記係合部は、厚さが0.5mm〜0.7mmである。
【図面の簡単な説明】
【００１３】
【図１】(a)は第１実施形態の保護具の斜視図で、(b)は第一実施形態の保護具が携帯情報端末に取り付けられた状態を表す図である。
【図２】(a)は図１(a)のA-A' 断面図で、(b)は図２(a)の領域Xの拡大図である。
【図３】(a)は図１(a)のB-B' 断面図で、(b)は図３(a)の領域Yの拡大図である。
【図４】第１実施形態の保護具の６面図であり、(a)は正面図、(b)は左側面図、(c)は右側面図、(d)は平面図、(e)は底面図、(f)は背面図、(g)は図４(a)のA-A' 線切断部端面図、(h)は図４(b)のC-C' 線切断部端面図、(i)は図４(a)のB-B' 線切断部端面図である。
【図５】(a)は第２実施形態の保護具の斜視図で、(b)は第一実施形態の保護具が携帯情報端末に取り付けられた状態を表す図である。
【図６】(a)は図５(a)のA-A' 断面図で、(b)は図６(a)の領域X'のC向から見た拡大図である。
【図７】(a)は図５(a)のB-B' 断面図で、(b)は図７(a)の領域Y'のE方向から見た拡大図である。
【図８】第２実施形態の保護具の６面図であり、(a)は正面図、(b)は左側面図、(c)は右側面図、(d)は平面図、(e)は底面図、(f)は背面図、(g)は図４(a)のF-F' 線切断部端面図、(h)は図４(b)のG-G' 線切断部端面図である。
【発明を実施するための形態】
【００１４】
以下、本発明の実施形態について説明する。以下の実施形態は、例示であって、本発明の範囲は、以下の実施形態で示すものに限定されない。
【００１５】
１．  第１実施形態
図１を用いて、本発明の第１実施形態の保護具1について説明する。図１に示すように、第１実施形態に係る保護具1は、携帯情報端末、例えばアップル社のiPnone6の前面から取り付けられる。保護具1は例えばポリカーボネートで形成され、タッチディスプレイを覆うシート部1bと、シート部1bより厚い係合部1aが後述する傾斜面1cを介して形成される。係合部1aは左右の両端で湾曲しており、端末の左右の側面と係合する。また、端末前面の上下部分を保護部1dが覆う。保護部1dは係合部1aと同程度の厚さで、係合部1a及びシート部1bと継ぎ目なく形成されることで、端末の側面から前面にかけて強固に保護することができる。シート部1bは、タッチディスプレイを保護するものであり、厚さは0.3mm〜0.4mmが好ましい。これは、厚くする方がより強い衝撃に耐えられるが、あまり厚くするとタッチディスプレイへのタッチ操作の感度が低下するため、両者を両立する必要があるためである。また、係合部1aは、シート部1bより厚く、例えば厚さが0.5〜0.7mmであり、端末と係合しつつタッチディスプレイ以外の箇所への衝撃を保護するものである。そして、係合部1aによりシート部1bがタッチディスプレイ上に保持される。ここで、タッチディスプレイ上に保持されるとは、タッチディスプレイに密着している状態のみならず、タッチディスプレイと一定の間隔を開けて保持される態様も含む。なお、ポリカーボネートで形成された保護具1は光を透過するので、シート部1bを通してタッチディスプレイを視認することができる。
【００１６】
図２(a)は図１(a)のA-A' 断面図で、図２(b)は図２(a)の領域Xの拡大図である。タッチディスプレイの左右の縁に相当する箇所において、シート部1bと係合部1aは傾斜面1cを介して継ぎ目なく形成される。係合部1aは湾曲しており、端末の左右の側面と係合する。
【００１７】
図３(a)は図１(a)のB-B' 断面図で、図(b)は図３(a)の領域Yの拡大図である。タッチディスプレイの上下の縁に相当する箇所において、シート部1bと保護部1dが傾斜面1cを介して継ぎ目なく形成される。
【００１８】
図４は第１実施形態の保護具の６面図であり、(a)は正面図、(b)は左側面図、(c)は右側面図、(d)は平面図、(e)は底面図、(f)は背面図、(g)は図４(a)のA-A' 線切断部端面図、(h)は図４(b)のC-C' 線切断部端面図、(i)は図４(a)のB-B' 線切断部端面図である。領域P及び領域Qは、図２(a)及び図３(a)に示した領域X及びYのうちの特徴的な箇所である。また、領域Rはシート部1bの一部である。第一実施形態において、領域P、Q及びRが特徴的である。なお、第１実施形態の保護具１では、シート部1bの長手方向に渡って領域Pと同じ構成を持ち、長手方向と垂直の方向に渡って領域Qと同じ構成を持つ。
【００１９】
かかる構成により、保護具1を端末の前面から押し付けることで係合部1aが端末の側面と係合して固定され、係合部1aと傾斜面1cを介して継ぎ目なく形成されたシート部1bがタッチディスプレイ上に保持されることで、タッチディスプレイが保護される。これにより、従来の保護フィルムのように気泡を気にすることなく、かつ位置決めをすることなく容易に取り付けることができる。さらに、シート部1bと画面の間に段差がないため、指の引っかかりや経年劣化による剥離も生じない。このため、一度取り付ければゴミや埃が入ってくることもなくなる。また、従来と異なり、シート部1bに端末との貼付面を備える必要もない。ここで、貼付面とは、端末の画面に貼り付けるために設けられた面のことで、シール等の糊付けや素材自体が端末の画面と吸着する面のことである。さらに、例えばiPhone6等のようにタッチディスプレイを構成するガラスにラウンド加工（ガラスの端部が曲面となる加工）が施されている端末であっても、タッチディスプレイの曲面部分まで確実に保護することができる。
【００２０】
第１実施形態では、傾斜面1cは略直線形状であるが、傾斜面1cを滑らかな曲線としてもよい。これにより、例えばタッチディスプレイ外からのスワイプ（画面に触れた状態で指を滑らせる操作）をスムーズに行うことができる。これは、タッチディスプレイ内でのスワイプとタッチディスプレイ外からのスワイプで異なる機能が割り当てられている端末が存在し、そのような端末のユーザーはしばしばタッチディスプレイ外からのスワイプを行うためである。また、係合部を湾曲形状としたが、端末の側面と係合する形であれば例えばコの字形状であってもよい。さらに、係合部1aがシート部1bの周縁から傾斜面1cを介して継ぎ目なく形成される構成としたが、シート部1bの周縁から少し内側から継ぎ目なく形成されても良く、シート部1bの周縁及び周縁の少し内側からジョイント部材やサポート部材を介して係合部1aが形成されても良い。
【００２１】
２．  第２実施形態
図５を用いて、本発明の第２実施形態の保護具1について説明する。なお、図１と同じ要素には同じ符号を付している。
【００２２】
第１実施形態と異なり、第２実施形態の保護具1では、シート部1bがタッチディスプレイを超えて端末の前面を広く覆っている。そして、シート部1bの周縁から係合部1aが形成される。第２実施形態の保護具１では、係合部1aは上下及び左右の端部から端末の側面を包むように湾曲しており、端末の上下及び左右の側面と係合する。
【００２３】
図６(a)は図５(a)のA-A' 断面図で、(b)は図６(a)の領域X'のＤ方向から見た拡大図である。シート部1bはタッチディスプレイを超えて端末前面を広く覆い、端部付近において傾斜面1cを介して係合部1aが継ぎ目なく形成される。領域X'における係合部1aは、端末の左右の側面と係合し、保護する。  
【００２４】
図７(a)は図５(a)のB-B' 断面図で、(b)は図７(a)の領域Y'のＥ方向からみ見た拡大図である。シート部1bはタッチディスプレイを超えて、端末上部のマイクやカメラに相当する箇所には穴を開けつつ端末前面を広く覆い、端部付近において傾斜面1cを介して係合部1aが継ぎ目なく形成される。領域Y'における係合部1aは、端末の上下の側面と係合し、保護する。
【００２５】
図８は第２実施形態の保護具の６面図であり、(a)は正面図、(b)は左側面図、(c)は右側面図、(d)は平面図、(e)は底面図、(f)は背面図、(g)は図８(a)のF-F' 線切断部端面図、(h)は図８(b)のG-G' 線切断部端面図である。領域P'及び領域Q'は図６(a)及び図７(a)に示した領域X'及びY'のうちの特徴的な箇所である。また、領域R' はシート部1bの一部である。なお、第２実施形態の保護具１では、シート部1bの長手方向に渡って領域P'と同じ構成を持ち、長手方向と垂直の方向に渡って領域Q'と同じ構成を持つ。
【００２６】
かかる構成により、第１実施形態と同様に、位置決めすることなく端末に容易に取り付けられ、気泡及びゴミや埃が入ってこない保護具が提供される。また、シート部1bが端末の前面を広く覆っているため、シート部1bと画面の間の段差がなく、指が引っかかることがないので使用感が向上する。なお、第２実施形態において、係合部1aは端末の上下の側面及び左右の側面と係合する構成としたが、左右の側面のみ、上下の側面のみ又は端末４隅の角と係合する構成としてもよい。
【００２７】
なお、画面が割れる原因としては端末の落下が多いが、一般的に、画面と地面が向かい合う、つまり端末の前面と地面が並行となった状態で落下する場合に比べて、端末の前面と地面が並行でなく傾いた状態や端末の角から落下した場合の方が画面の損傷は大きくなる。第２実施形態では係合部1aが端末の上下及び左右の側面を覆って保護しているため、前述のような好ましくない落下時においても端末を強固に保護することが可能となる。
【００２８】
以上、第１実施形態及び第２実施形態について説明したが、本発明はこれらに限定されるものではない。例えばシート部1bを0.3mmより薄くしてもよく、係合部を0.7mmより厚くしてもよい。また、ポリカーボネート以外の材料を用いて形成してもよく、例えばシート部1bと係合部1aをそれぞれ別の素材とすることで、両者を同程度の厚さとすることもできる。さらに、端末背面から取り付ける保護ケースと併用してもよい。この場合、端末の背面までも保護することができる。
【００２９】
また、第１実施形態及び第２実施形態の保護具1は、シート部1b及び係合部1aが傾斜面1cを介して形成される構成としたが、これらが継ぎ目なく形成されたり、連続して形成されたり、一体として構成されていればよい。また、シート部1bとび係合部1aの間に境界があってもよい。例えば、二色成形（ダブルモールド）などにより製造された場合、２種類の樹脂に境界が生じるが、かかる場合でも、シート部1bの周縁から係合部1aが形成されていればよい。
【００３０】
なお、例えばシート部1bと係合部1aをまとめて成型することで、製造工数を削減しつつ精度のよい保護具を安価に製造することができる。
【符号の説明】
【００３１】
1 : 保護具、1a：係合部、1b：シート部、1c：傾斜面、1d：保護部
【要約】
【課題】
端末への取付が容易で、経年劣化により剥離することがない画面の保護具を提供するものである。
【解決手段】
本発明によれば、携帯情報端末に取り付ける保護具であって、前記携帯情報端末の画面を覆うシート部と、前記シート部の周縁から形成され且つ前記シート部を前記画面上に保持しつつ前記携帯情報端末の側面と係合する係合部と、を有する保護具が提供される。
【選択図】図１【図１】
0005841681.tif 000002
【図２】
0005841681.tif 000003
【図３】
0005841681.tif 000004
【図４】
0005841681.tif 000005
【図５】
0005841681.tif 000006
【図６】
0005841681.tif 000007
【図７】
0005841681.tif 000008
【図８】
0005841681.tif 000009